(57)【要約】  強化されたバナー広告を作成する、方法、システムおよびモジュールであり、各強化されたバナー広告は、元のバナー広告および強化されたバナー広告に関連する、広告主との通話をユーザーが開始できるようにする通話アプリケーションおよび元のバナー広告（例えば、リッチメディアファイル）のコンテントおよび機能を備える。このシステム、モジュールおよび方法は、前記元のバナー広告の元のコードおよびコンテントと前記通話アプリケーションとを統合し、前記通話アプリケーションと前記元のバナー広告の組み合わされた作動的機能およびコンテントを可能にする新しいＲＭＦである、新しく強化されたバナー広告を作成することを可能にでき、前記新しく作成された強化されたバナー広告によって、前記強化されたバナー広告内で通話アプリケーションをオペレートすることにより、前記広告主と前記ユーザーとの間の通話をユーザーが開始することを可能にする。
2011512571.tif 000002
【特許請求の範囲】
【請求項１】
強化されたバナー広告を作成する、コンピュータで実行される方法であり、各強化されたバナー広告は、この強化されたバナー広告に関連する元のバナー広告のコンテントおよび機能と、前記元のおよび強化されたバナー広告に関連する広告主との通話をユーザーが開始できるようにする通話アプリケーションとを備えた、強化されたバナー広告を作成するコンピュータで実行される方法において、
前記元のバナー広告の元のコードおよびコンテントと前記通話アプリケーションのコードとを統合するステップと、
前記通話アプリケーションと前記元のバナー広告の組み合わされた作動的機能およびコンテントを可能にする、新たな強化されたバナー広告を作成するステップとを備え、前記新しく作成された強化されたバナー広告は、、ユーザーが前記強化されたバナー広告内の通話アプリケーションをオペレートすることにより、前記広告主と前記ユーザーとの間の通話を開始することを可能にする、強化されたバナー広告を作成する、コンピュータで実行される方法。
【請求項２】
前記強化されたバナー広告を作成する際に、監督コードを統合するステップを更に備え、前記監督コードは、前記元のバナー広告のコードおよび前記元のバナー広告の前記元のコードを前記強化されたバナー広告に組み込む方法の監督を可能にする、請求項１に記載の方法。
【請求項３】
前記元のバナー広告のコードと前記通話アプリケーションのコードとを統合する前記ステップは、前記元のバナー広告の前記コードをデコンパイルするステップと、前記通話アプリケーションのコードと前記元のバナー広告の前記コードおよびコンテントとを統合するステップと、前記統合されたコードをリコンパイルし、前記強化されたバナー広告を作成するステップとを含む、請求項１に記載の方法。
【請求項４】
前記広告主が通話ツールをカスタム化できるように、通話アプリケーションのパラメータを定めるステップと、
ダイナミックコンテナ内でオペレートされているダイナミックプロジェクタに前記元のバナー広告をアップロードするステップと、
前記通話アプリケーションに関連するデータおよびコマンドを前記強化されたバナー広告にダイナミックにロードすることを可能にする通話レイヤーを使用し、前記通話アプリケーションのコードを、前記強化されたバナー広告内ヘ前記元のバナー広告のコンテントをダイナミックにロードすることを可能にするダイナミックプロジェクタと統合することにより前記強化されたバナー広告を作成するステップと、
前記作成され、強化されたバナー広告を少なくとも１つのネットワークページに埋め込むステップと、
前記ダイナミックプロジェクタを使用し、前記元のバナー広告のコンテントを前記強化されたバナー広告内にダイナミックにロードするステップと、
前記通話レイヤーを使用し、前記通話アプリケーションの前記パラメータを前記強化されたバナー広告内にダイナミックにロードするステップを更に含む、請求項１に記載の方法。
【請求項５】
メインウェブサイトにログインするステップを更に備え、前記メインウェブサイトは、前記広告主が前記元のバナー広告を提供し、前記通話アプリケーションのパラメータを定めることができるようにするインターフェースを含み、前記ウェブサイトは、前記ダイナミックコンテナに作動的に関連している、請求項３に記載の方法。
【請求項６】
前記強化されたバナー広告を作成する前記ステップは、前記ダイナミックコンテナ内に含まれる監督コードを前記強化されたバナー広告内に統合するステップを含み、前記監督コードは、前記バナー広告のコードおよび前記元のバナー広告の元のコードを前記強化されたバナー広告に組み込む方法を管理することを可能にする、請求項３に記載の方法。
【請求項７】
前記広告主が前記通話ツールをカスタム化できるように通話アプリケーションのパラメータを定めるステップと、
マスターコンテナ内に埋め込まれる、スレーブの元のバナー広告からコンテントおよびコードをロードすることを可能にするプロジェクタを含む前記マスターコンテナを使用し、前記元のバナー広告のコンテントおよびコードにアクセスするステップと、
前記強化されたバナー広告に通話アプリケーションに関連するデータおよびコマンドをダイナミックにロードすることを可能にする前記通話レイヤーを使用し、前記通話アプリケーションのコードを、スレーブとして埋め込まれている前記元のバナー広告および前記スレーブを前記強化されたバナー広告にロードすることを可能にするプロジェクタと統合することにより、前記強化されたバナー広告を作成するステップと、
前記プロジェクタを使用し、前記スレーブの元のバナー広告のコンテントを前記強化されたバナー広告にロードするステップと、
前記通話レイヤーを使用し、前記通話アプリケーションの前記パラメータを前記強化されたバナー広告内にダイナミックにロードするステップとを更に含む、請求項１に記載の方法。
【請求項８】
メインウェブサイト内の広告主の個人口座にログインするステップを更に備え、前記メインウェブサイトは、前記元のバナー広告を提供し、前記通話アプリケーションの前記パラメータを定めることにより、前記通話アプリケーションをカスタム化することを可能にし、前記ウェブサイトは、前記マスターコンテナに作動的に関連している、請求項７に記載の方法。
【請求項９】
前記強化されたバナー広告を作成する前記ステップは、前記マスターコンテナ内に含まれる監督コードを前記強化されたバナー広告内に統合するステップを含み、前記監督コードは、前記バナー広告のコードおよび前記元のバナー広告の元のコードを前記強化されたバナー広告に組み込む方法を管理することを可能にする、請求項７に記載の方法。
【請求項１０】
前記通話アプリケーションをカスタム化するステップを更に備え、前記広告主は前記ウェブサイトにログインし、前記広告主の少なくとも１つのターミナルとの通信の実行を可能にする識別子を入力し、通信アプリケーションのグラフィックパラメータおよび通信機能条件を定める通話パラメータを定義する、請求項１に記載の方法。
【請求項１１】
前記カスタム化は、
個人口座にログインするステップであり、広告主はメインウェブサイト内の自分の口座にログインする、ステップと、
ユーザーと前記ターミナルとの通信を可能にするための前記広告主のターミナルの少なくとも１つの識別子を含む、前記通話アプリケーションのための通話パラメータを定めるステップと、
前記広告主が定めた通話アプリケーションパラメータのすべてへのアクセスを可能にする、個人用バナー広告鍵を作成するステップと、
プラグインを実施することによって挿入された前記通話アプリケーションのグラフィックデザインおよび機能を変更し、前記広告主が定めた通話アプリケーションのパラメータへのアクセスを可能にする、プラグインプロパティとして前記個人用バナー広告鍵を提供することにより行なわれるバナー広告上のプラグインを前記ユーザーが実施できるようにするプラグインソフトウェアツールをダウンロードするステップと、
前記バナー広告をコンパイルすることにより、新たな強化されたバナー広告を作成するステップと、
少なくとも１つのネットワークページ内に前記強化されたバナー広告を埋め込むステップと、
前記広告主の個人用バナー広告鍵に対応する通話アプリケーションのパラメータをロードするステップとを備える、請求項１０に記載の方法。
【請求項１２】
前記強化されたバナー広告を作成する前後において、前記通話アプリケーションのパラメータを定めるステップを実行できる、請求項１１に記載の方法。
【請求項１３】
強化されたバナー広告を作成する、メインバナー広告モジュールであり、各強化されたバナー広告は、元のバナー広告のコンテントおよび機能と、元のおよび強化されたバナー広告に関連する、広告主との通話をユーザーが開始できるようにする通話アプリケーションとを備え、前記メインバナー広告モジュールは、前記元のバナー広告のコードおよびコンテントを受信し、元のバナー広告と通話アプリケーションとを統合し、通話適用性を有する新たな強化されたバナー広告を作成することを可能にする統合モジュールを備える、メインバナー広告モジュール。
【請求項１４】
広告主であるユーザーが前記強化されたバナー広告の通話アプリケーションをカスタム化できるようにするカスタム化モジュールを更に含む、請求項１３に記載のメインバナー広告モジュール。
【請求項１５】
広告主が個人口座を作成し、これを使用することを可能にし、この個人口座を通してバナー広告のカスタム化を実行する、請求項１４に記載のメインバナー広告モジュール。
【請求項１６】
前記カスタム化は、広告主が少なくとも１つの通話識別子を入力し、通話アプリケーションのグラフィックパラメータを定めると共に、通話アプリケーションの機能パラメータおよび条件を定めることができるようにすることを更に含む、請求項１５に記載のメインバナー広告モジュール。
【請求項１７】
前記強化されたバナー広告の機能およびコンテントを管理するために、少なくとも１つの強化されたバナー広告とのオンライン通信を可能にする通信モジュールを更に含む、請求項１２に記載のメインバナー広告モジュール。
【請求項１８】
データの記憶を可能にすると共に、前記元のバナー広告のロケーション、前記元のバナー広告に関連する前記強化されたバナー広告の通話アプリケーションの機能を定めるパラメータ、前記広告主に関連するデータのうちの少なくとも１つに関する情報をサーチすることを可能にするデータベースを更に含む、請求項１３に記載のメインバナー広告モジュール。
【請求項１９】
前記広告主と前記メインバナー広告モジュールとの間の通信を、少なくとも１つの通信ネットワークを通して通信システムを可能にするウェブサービスを通して自動的に実行する、請求項１３に記載のメインバナー広告モジュール。
【請求項２０】
少なくとも１つの通信ネットワークを通し、強化されたバナー広告が埋め込まれたネットワークページと通信する、コンピュータ化された通信デバイスである少なくとも１つのユーザーのターミナルを使用して、前記ユーザーと前記強化されたバナー広告との間で通信を実行し、前記広告主と前記ユーザーとの間の通信を少なくとも１つの通信ネットワークを通し、ユーザーターミナルと広告主のターミナルとの間で実行する、請求項１３に記載のメインバナー広告モジュール。
【請求項２１】
前記強化されたバナー広告が埋め込まれているネットワークページと通信するのに使用されるユーザーのターミナルは、前記広告主と通信するために使用されるユーザーのターミナルとは異なる、請求項２０に記載のメインバナー広告モジュール。
【請求項２２】
前記強化されたバナー広告が埋め込まれているネットワークページと通信するのに使用されるユーザーのターミナルは、前記広告主と通信するために使用されるターミナルと同じである、請求項２０に記載のメインバナー広告モジュール。
【請求項２３】
前記元のバナー広告は、リッチメディアファイル（ＲＭＦ）であり、前記強化され、作成されたバナー広告は、新しいＲＭＦである、請求項１３に記載のメインバナー広告モジュール。
【請求項２４】
前記統合モジュールは、前記元のバナー広告のコードをデコンパイルし、前記通話アプリケーションのコードを統合し、次に強化されたバナー広告を作成するために、統合されたコードをリコンパイルすることにより、前記元のバナー広告のコードと前記通話アプリケーションのコードとを統合することを可能にする、請求項１３に記載のメインバナー広告モジュール。
【請求項２５】
前記統合モジュールは、ダイナミックコンテナを含み、このダイナミックコンテナは、
リモートメインウェブサイトから前記元のバナー広告のコードをダイナミックにアップロードすることを可能にするダイナミックプロジェクタと、
前記ウェブサイトから前記広告主の通話アプリケーションのカスタム化されたパラメータをダイナミックに検索することを可能にする通話レイヤーとを備え、
前記コンテナは、強化されたバナー広告を作成すること、少なくとも１つのネットワークページに前記強化されたバナー広告を埋め込むこと、前記ダイナミックなプロジェクタを使用し、前記元のバナー広告のロケーションから前記埋め込まれた強化されたバナー広告へ、元のバナー広告のコンテントをダイナミックにロードすることを可能にし、
前記コンテナは、通話レイヤーを使用し、前記ウェブサイトから前記強化されたバナー広告に前記通話アプリケーションのパラメータをロードすることを更に可能にする、請求項１３に記載のメインバナー広告モジュール。
【請求項２６】
前記ダイナミックコンテナは、監督コードを前記強化されたバナー広告に統合することを可能にする監督コードを更に備え、前記監督コードは、前記元のバナー広告のコンテントおよび前記元のバナー広告の元のコードを前記強化されたバナー広告に組み込む方法の監督を可能にする、請求項２５に記載のメインバナー広告モジュール。
【請求項２７】
前記統合モジュールは、マスターコンテナを備え、このマスターコンテナーは、
スレーブバナー広告である少なくとも１つの元のバナー広告と、
前記マスターコンテナから前記元のバナー広告のコードおよびコンテントをロードできるようにするプロジェクタと、
前記ウェブサイトから広告主の通話アプリケーションのカスタム化されたパラメータをダイナミックに検索できるようにする通話レイヤーとを備え、
前記マスターコンテナは、前記強化されたバナー広告が一旦少なくとも１つのネットワークページに埋め込まれた場合に、前記プロジェクタを使用して、強化されたバナー広告の作成を可能にし、前記マスターコンテナから前記強化されたバナー広告へ、前記元のバナー広告のコンテントをロードできるようにし、
前記コンテナは更に、前記通話レイヤープロジェクタを使って前記ウェブサイトから、前記埋め込まれ、強化されたバナー広告に、前記通話アプリケーションのパラメータおよび前記通話アプリケーションコードの少なくとも一部のうちの少なくとも一方をロードできるようにする、請求項１３に記載のメインバナー広告モジュール。
【請求項２８】
前記マスターコンテナは、前記元のバナー広告のコンテントおよび前記元のバナー広告の元のコードを前記強化されたバナー広告に組み込む方法の監督を可能にする監督コードを更に含む、請求項２７に記載のメインバナー広告モジュール。
【請求項２９】
少なくとも１つの通信ネットワークを通して前記メインバナー広告モジュールと通信する少なくとも１つの第三当事者のエンティティから、元のバナー広告を受信して強化された多数のバナー広告を作成し、強化のために前記元のバナー広告を送信した前記第三当事者のエンティティに、作成され、強化された各バナー広告を戻すことを更に可能にする、請求項１３に記載のメインバナー広告モジュール。
【請求項３０】
強化されたバナー広告を作成するシステムであって、強化された各バナー広告は、この強化されたバナー広告に関連する元のバナー広告のコンテントおよび機能と、前記元のおよび強化されたバナー広告に関連する、広告主との通話をユーザーが開始できるようにする通話アプリケーションとを備え、前記システムは、
元のバナー広告のコードおよびコンテントを受信し、通話適用性を有する新たな強化されたバナー広告を作成するため、前記元のバナー広告と通話アプリケーションとの統合を可能にできるメインバナー広告モジュールと、
少なくとも１つの広告主に関連し、少なくとも１つの通信ネットワークを通し、少なくとも一人のユーザーとの通信を可能にする、少なくとも１つの広告主のターミナルと、
前記強化されたバナー広告が埋め込まれている少なくとも１つのネットワークページとの通信および少なくとも１つの通信ネットワークを通した前記広告主のターミナルとの通信を可能にする、少なくとも１つのユーザーのターミナルとを備え、
作成され、強化された前記バナー広告内の前記通話アプリケーションは、前記少なくとも１つの広告主およびユーザーのターミナルを通して、前記バナー広告に関連する前記広告主と少なくとも一人のユーザーとの通信を可能にする、強化されたバナー広告を作成するシステム。
【請求項３１】
前記メインバナー広告モジュールは、
元のバナー広告のコードおよびコンテントを受信し、前記元のバナー広告と通話アプリケーションとを統合し、通話適用性を有する新たな強化されたバナー広告を作成することを可能にする統合モジュールと、
前記強化されたバナー広告からデータおよびコマンドを受信し、前記通話アプリケーションを監督すると共に、前記バナー広告にデータを記憶することを可能にする通信モジュールとを備える、請求項３０に記載のシステム。
【請求項３２】
前記メインバナー広告統合モジュールは、更に監督コードと前記元のバナー広告および通話アプリケーションとを統合し、前記強化されたバナー広告を作成することを可能にし、前記監督コードは、前記元のバナー広告のコンテントおよび前記元のバナー広告の元のコードを前記強化されたバナー広告内に組み込む方法の監督を可能にする、請求項３１に記載のシステム。
【請求項３３】
前記メインバナー広告モジュールは、前記広告主が強化されたバナー広告の通話アプリケーションをカスタム化できるようにするカスタム化モジュールを更に備える、請求項３１に記載のシステム。
【請求項３４】
前記カスタム化は、前記広告主が前記ユーザーと通信するための前記広告主のターミナルを識別するための少なくとも１つの通話識別子を入力し、前記広告主のターミナルから前記ユーザーへの通話を開始し、前記通話アプリケーションのグラフィックパラメータを定め、前記通話アプリケーションの機能パラメータおよび条件を定めることができるようにする、請求項３３に記載のシステム。
【請求項３５】
前記メインバナー広告モジュールは、前記強化されたバナー広告とのオンライン通信を可能にし、少なくとも１つのタイプの少なくとも１つの通信ネットワークを通して、前記埋め込まれ、強化されたバナー広告の管理を可能にする通信モジュールを更に備える、請求項３４に記載のシステム。
【請求項３６】
前記メインバナー広告モジュールは、データの記憶を可能にすると共に、各広告主の前記元のバナー広告、通話アプリケーションのパラメータおよび各広告主に関連する他の詳細に関する情報をサーチすることを可能にするデータベースを更に含む、請求項３４に記載のシステム。
【請求項３７】
少なくとも１つの通信ネットワークを通して少なくとも１つのネットワークページと通信する、コンピュータ化された通信デバイスである少なくとも１つのユーザーのターミナルを使用し、前記ユーザーと前記強化されたバナー広告が埋め込まれている少なくとも１つのネットワークページとの間の通信を実行し、少なくとも１つの通信ネットワークを通し、ユーザーのターミナルと広告主のターミナルとの間で前記広告主とユーザーとの間の通信を実行する、請求項３４に記載のシステム。
【請求項３８】
少なくとも１つのネットワークページと通信するのに使用されるユーザーのターミナルは、前記広告主と通信するために使用されるユーザーのターミナルとは異なる、請求項３７に記載のメインバナー広告モジュール。
【請求項３９】
前記元のバナー広告は、リッチメディアファイル（ＲＭＦ）であり、前記強化され、作成されたバナー広告は、新しいＲＭＦである、請求項３０に記載のシステム。
【請求項４０】
前記メインバナー広告モジュールは、前記元のバナー広告のコードをデコンパイルし、前記通話アプリケーションのコードを統合し、次に強化されたバナー広告を作成するために、統合されたコードをリコンパイルすることにより、前記元のバナー広告のコードと前記通話アプリケーションのコードとを統合することを可能にする、請求項３０に記載のシステム。
【請求項４１】
前記メインバナー広告モジュールは、ダイナミックコンテナを含み、このダイナミックコンテナは、
リモートメインウェブサイトから前記元のバナー広告のコードをダイナミックにアップロードすることを可能にするダイナミックプロジェクタと、
前記ウェブサイトから、前記広告主の通話アプリケーションおよび通話アプリケーションコードの少なくとも一部の少なくとも一方のカスタム化されたパラメータをダイナミックに検索することを可能にする通話レイヤーとを備え、
前記コンテナは、強化されたバナー広告を作成し、少なくとも１つのネットワークページに前記バナー広告が一旦埋め込まれた場合に、前記ダイナミックなプロジェクタを使用し、元のバナー広告のコンテントを前記元のバナー広告のロケーションから前記強化されたバナー広告へダイナミックにロードすることを可能にし、
前記コンテナは、通話レイヤーを使用し、前記ウェブサイトから前記埋め込まれ、強化されたバナー広告に前記通話アプリケーションのパラメータをロードすることを更に可能にする、請求項３０に記載のシステム。
【請求項４２】
前記コンテナは監督コードを更に含み、前記コンテナは、前記監督コードを前記強化されたバナー広告に統合することを可能にし、前記監督コードは、前記元のバナー広告のコンテントおよび前記元のバナー広告の元のコードを前記強化されたバナー広告に組み込む方法の監督を可能にする、請求項４１に記載のメインバナー広告モジュール。
【請求項４３】
前記メインバナー広告モジュールは、マスターコンテナを備え、このマスターコンテナーは、
スレーブバナー広告である少なくとも１つの元のバナー広告と、
前記マスターコンテナから前記元のバナー広告のコードおよびコンテントをロードできるようにするプロジェクタと、
前記ウェブサイトから広告主の通話アプリケーションのカスタム化されたパラメータおよび通話アプリケーションコードの少なくとも一部のうちの少なくとも一方をダイナミックに検索できるようにする通話レイヤーとを備え、
前記マスターコンテナは、前記強化されたバナー広告が一旦少なくとも１つのネットワークページに埋め込まれた場合に、前記プロジェクタを使用して、強化されたバナー広告の作成を可能にし、次に前記マスターコンテナから前記強化されたバナー広告へ、前記元のバナー広告のコンテントをダイナミックにロードできるようにし、
前記コンテナは更に、前記通話レイヤープロジェクタを使って前記ウェブサイトから前記埋め込まれ、強化されたバナー広告に前記通話アプリケーションのパラメータおよび前記通話アプリケーションコードの少なくとも一部のうちの少なくとも一方をロードできるようにする、請求項３０に記載のシステム。
【請求項４４】
前記マスターコンテナは、更に監督コードを備え、前記マスターコンテナは、前記監督コードを前記強化されたバナー広告に統合することを可能にし、前記監督コードは、前記元のバナー広告のコンテントおよび前記元のバナー広告の元のコードを前記強化されたバナー広告に組み込む方法を監督することを可能にする、請求項４３に記載のシステム。
【発明の詳細な説明】
【技術分野】
【０００１】
（関連出願とのクロスレファレンス）
本願は、本明細書で全体を参考例として援用する、２００８年１月１０日に出願された米国仮特許出願第６１／００６、３７９号に基づく権利を主張するものである。
【０００２】
（背景）
（１．発明の分野）
本発明は、一般的にはリッチメディアファイルのバナー広告（ａｄ  ｂａｎｎｅｒｓ）の分野に関し、より詳細には、バナー広告と通話適用性（ｃａｌｌｉｎｇ  ａｐｐｌｉｃａｂｉｌｉｔｙ）とを統合するための方法およびシステムに関する。
【背景技術】
【０００３】
（２．関連技術）
バナー広告は、通常メディアコンテントデータ、例えばテキスト、アニメーション（フラッシュ）、ビデオおよび／またはオーディオコンテントデータを含む。ほとんどのバナー広告は、１つ以上のサーバーによって管理されており、異なるウェブサイトの１つ以上のネットワークページに埋め込むことができる。
【０００４】
広告主、例えばサービスおよび製品提供者は、そのサービスおよび／または製品をオンラインで広告するためにバナー広告（ｂａｎｎｅｒ）を使用することが多く、そのバナー広告では、公表されているネットワークページまたはウェブサイトを使用するユーザーが、広告主のウェブサイトまたはネットワークページに入り（リンクし）、例えばバナー広告の指定仮想購入ボタンをクリックすることによって広告主および／または購入製品および／またはサービスに関するより多くの情報を見ることができるようにしている。
【０００５】
広告主およびその他のサービス提供者は、ユーザーとの直接通信を行おうとすることが多く、このような試みは、例えば、ユーザーが自分の通信の詳細情報、相手に電話することにより、ユーザーと連絡をとるための電話番号、広告ｅメールを送るためのｅメールアドレス、オンライン通話サービスを通してユーザーと通信するためのインターネットプロトコル（ＩＰ）アドレス、およびヴォイスオーバーＩＰ（ＶｏＩＰ）などのプロトコルをユーザーが入力できるようにすることによって行われている。
【０００６】
ユーザーがバナー広告内の指定エリアをクリックし、広告主とユーザーとの間の通話（例えばＶｏＩＰ通話）を開始できるようにする、通話ツールを有するバナー広告も提供されている。
【０００７】
米国公開特許出願第ＵＳ２００７１００９５６（Ａ１）号（以下、上記出願と称す）は、電話通話数に基づくペイ・フォー・パフォーマンス（広告成果に応じた料金制の）インターネット広告のためのシステムおよび方法を提供している。この出願は、一般に配信されているインターネットに基づく広告を１回クリックすれば、電話を通して広告主に接続できるようにするものであり、インターネットに基づく多数の配信チャンネルのうちのどのチャンネルから、ユニークな広告主の広告がユーザーからの通話を引き寄せたかを正確かつ効率的に追跡する能力を提供し、かつ、広告主に対する簡単な組の価格決定構造、および広告の優先ディスプレイのための、カテゴリー、キーワード、ランダム選択および履歴経験の、シーンの背後にある複合的な組み合わせを提供している（米国特許出願第ＵＳ２００７１００９５６（Ａ１）号、アブストラクト参照）。
【０００８】
上記出願は、広告主のユニークな広告に埋め込まれている広告主のためのコンピュータコードのユニークなバッチ、すなわち単一クリック通話起動リンクの作成の促進を可能にしている（米国特許出願第ＵＳ２００７１００９５６（Ａ１）号、［００６１］パラグラフ参照）。
【０００９】
上記出願は、ユーザーへの通話の起動を可能にする追加された呼び出しリンクを有する広告ページ（例えばネットワークページ）の作成を可能にしている。
【発明の概要】
【発明が解決しようとする課題】
【００１０】
（簡単な概要）
本発明は、本発明の一部の実施形態において、リッチメディアファイル（ｒｉｃｈ  ｍｅｄｉａ  ｆｉｌｅ：ＲＭＦ）である少なくとも１つの元のバナー広告（ｏｒｉｇｉｎａｌ  ａｄ  ｂａｎｎｅｒ）と通話アプリケーション（ｃａｌｌｉｎｇ  ａｐｐｌｉｃａｔｉｏｎ）とを統合することにより、強化されたバナー広告（ｂａｎｎｅｒｓ）を作成するためのシステム、方法およびモジュールを提供せんとするものである。
【課題を解決するための手段】
【００１１】
本発明の一部の実施形態によれば、上記システム、モジュールおよび方法は、１つ以上のタイプのメディアコンテントを含み、更にバナー広告の機能（例えばコマンド）に関連するコードも含むことができる元のバナー広告の元のコードと通話アプリケーションのコード、およびその他のグラフィックおよび作動的機能（例えば、ダイアル機能、クライアントのデータの記憶、通話適用性などを有する強化され、作成されたバナー広告を監督するための監督コードなど）とを統合すること、および通話アプリケーションおよびバナー広告の組み合わされた作動的機能、例えばバナー広告のグラフィックおよび作動的な特徴およびユーザーと広告主との通話（例えばＶｏＩＰ適用性を通した、広告主およびユーザーなどの（携帯もしくは有線）電話の間の通話）の開始および実行を可能にする、新しいＲＭＦとすることができる強化されたバナー広告を作成することを可能にできる。
添付図面を参照し、本発明を説明するための、例として示された本明細書の実施形態の説明を検討すれば、本発明に関する要旨がより明瞭に理解できよう。
【図面の簡単な説明】
【００１２】
【図１】本発明の一部の実施形態に従い、バナー広告と少なくとも１つの通話アプリケーションとを統合するための方法を略図で示すフローチャートである。
【図２】本発明の一部の実施形態に従い、バナー広告と通話アプリケーションとの統合を可能にする、組み合わされたリッチメディアファイルを作成するためのシステムを略図で示すブロック図である。
【図３Ａ】本発明の一部の実施形態に従い、ダイナミックコンテナを使用し、元のバナー広告のコンテントと通話アプリケーションおよび監督コードとを統合することを可能にする統合モジュールを略図で示す図である。
【図３Ｂ】図３Ａの実施形態に従い、ダイナミックコンテナを使用し、元のバナー広告のコンテントと通話アプリケーションおよび監督コードとを統合することを可能にする方法を略図で示すフローチャートである。
【図４】本発明の一部の実施形態に従い、元のバナー広告のコードをデコンパイルし、統合されたコードをリコンパイルすることによって、元のバナー広告の元のコードと通話アプリケーションコードとを統合するプロセスを略図で示すフローチャートである。
【図５Ａ】本発明の一部の実施形態に従い、マスターコンテナ内に埋め込まれたスレーブとして元のバナー広告を統合するための統合モジュールを略図で示す図である。
【図５Ｂ】本発明の実施形態に従い、マスターコンテナ内に埋め込まれたスレーブとして元のバナー広告を統合するためのプロセスを略図で示すフローチャートである。
【図６】本発明の一部の実施形態に従い、プラグインソフトウェアおよび広告主の口座を利用して、バナー広告に対する通話機能をカスタム化し、追加するプロセスを略図で示すフローチャートである。
【図７】本発明の一部の実施形態に従い、多数の第３当事者のエンティティおよび第１当事者のエンティティから、多数の元のバナー広告を受信し、これらバナー広告と通話アプリケーションとを統合し、この結果得られた強化されたバナー広告を戻すことを可能にするメインバナー広告モジュールを略図で示す図である。
【００１３】
一実施形態とは、本発明の一例または実現例である。「一実施形態」、「ある実施形態」または「一部の実施形態」なる種々の用語は、必ずしも同じ実施形態を示すものではない。単一の実施形態に関連して本発明の種々の特徴を記載できるが、これら特徴は別々に、または任意の適当な組み合わせでも提供できる。逆に、本明細書では、明瞭にするために別個の実施形態に関連して本発明を記載し得るが、本発明は単一の実施形態でも実現できる。
【発明を実施するための形態】
【００１４】
本発明は、一部の実施形態において、リッチメディアファイル（ＲＭＦ）、例えばバナー広告のコードと通話アプリケーションとを統合するためのシステム１０００、メインバナーモジュールおよび方法を開示するものであり、ここで、各バナー広告は、少なくとも一人の広告主と関連している。
【００１５】
本発明の一部の実施形態によれば、この統合は、新しいリッチメディアファイル（例えば新しく強化されたバナー広告）を作成でき、この新しいリッチメディアファイルは、元のバナー広告の少なくとも一部と、通話適用性および機能を可能にする「通話コード」と、新しい出力ファイル（強化されたバナー広告）が元のバナー広告のコンテントから生じた新しい強化されたバナーのコンテントおよび元のバナー広告の元のコードを、強化されたバナー広告に組み込む方法を管理し、制御できるようにする「監督コード」とを含むことができる。
【００１６】
本発明の一部の実施形態によれば、本発明の結果得られる新規に強化されたバナー広告を「公表の準備ができた」バナー広告とすることができ、ここで、新しく強化されたバナー広告は、ユーザーが仮想バブル内または仮想のフォールドされたコーナー内の仮想呼び出しボタンをクリックまたはダブルクリックすることにより、新しく強化されたバナー広告を通して広告主とユーザーとの間の通話を可能にする追加機能およびディスプレイ特性と共に、元のバナー広告の作動的、グラフィック、およびディスプレイのすべての特徴を可能にし、よって（例えば広告主側の負担で）広告主とユーザーとがコミュニケートできるように通話を自動的に実行する。
【００１７】
本発明の一部の実施形態によれば、広告主の元のバナーに追加された通話アプリケーションは、（ｉ）種々の通信ネットワーク、（ｉｉ）種々のフォーマット、（ｉｉｉ）ユーザーの種々のターミナルデバイス（例えばＰＣ、ラップトップ、携帯電話、電話など）、および（ｉｖ）種々の通信プロトコル（例えばＶｏＩＰ通信、無線通信、公衆交換電話ネットワーク（ＰＳＴＮ）など）を通して、広告主がユーザーとコミュニケートすることを可能にする。
【００１８】
本発明の一部の実施形態によれば、通話アプリケーションは、自動コールバックオプションを開始し、よって通信システムが（例えば、ターミナルの電話番号、ＳＩＰまたはＩＰアドレスを通して）ユーザーターミナルへのコールバックを開始し、広告主との通話を接続する。例えば変換され、新しく強化されたバナー広告は、ユーザーが通信およびパーソナル入力、例えばユーザーの電話番号、ＩＰアドレスまたは他の通信識別子を入力できるようにする、ユーザーが満たすべき入力フィールドと共に、強化されたバナー広告のディスプレイ領域（ステージ）内のバブルをディスプレイできる。ユーザーは、例えば仮想ボタンをクリックすることにより通話を選択すると、通信システムは（例えばＶｏＩＰまたは無線／有線通話を通して）広告主の通信ターミナルおよびユーザーのターミナルの双方への通話を自動的に開始し、当技術分野で知られているように通話を接続できる。
【００１９】
本発明の一部の実施形態によれば、（通話アプリケーションを有する新しい出力バナー広告とすることができる）新しいＲＭＦ内に埋め込まれた、あらかじめ定められたプログラムコードは、前記新しいＲＭＦの強化されたバナー広告のディスプレイおよび作動的機能を監督し、制御し、管理することを可能にする。新しいＲＭＦのグラフィックおよび作動的機能は、元のバナー広告のメディアコンテントおよびインターフェースの作動の管理だけでなく、新しいＲＭＦを通した通話の実行も含むことができる。
【００２０】
次の説明は、多くの仕様を含むが、これら仕様は本発明の範囲を限定するものと見なしてはならず、むしろ好ましい実施形態の例として見なすべきである。当業者であれば、本発明の範囲内で別の可能な変形例を想到できよう。従って、本発明の範囲は、図示されている実施形態ではなく、特許請求の範囲およびその法律上の均等物によって決定すべきである。
【００２１】
本明細書における「１つの実施形態」、「ある実施形態」、「一部の実施形態」または「他の実施形態」の記載は、本発明の必ずしもすべての実施形態ではなく、少なくとも１つの実施形態にも、これら実施形態に関連して説明した特定の特徴、構造または特性が含まれることを意味する。本明細書で使用するフレーズおよび用語は、発明を限定するものと見なすべきではなく、単に発明を説明するためのものであると見なすべきである。
【００２２】
下記の詳細な説明、図面および例を参照すれば、本発明の原理及び教示内容の用途について良好に理解できよう。本明細書に記載の細部は、本発明の１つの実施への限定であると解釈すべきでないと理解すべきである。更に、本発明は種々の方法で実施でき、本発明は下記の詳細な説明に概略を述べた実施形態以外の実施形態で実施できると理解すべきである。
【００２３】
「含む」、「備える」、「から成る」なる用語、およびその文法上の変形用語は、１つ以上のコンポーネント、特徴、ステップ、整数またはそれらのグループの追加を否定するものではなく、これら用語は、コンポーネント、特徴、ステップまたは整数（ｉｎｔｅｇｅｒｓ）を指定するものと見なしていると理解すべきである。「本質的に〜から成る」なるフレーズおよびその文法上の変形例は、本明細書で使用するとき、追加的コンポーネント、ステップ、特徴、整数またはそれらのグループを排除すると見なすべきではなく、むしろこれら追加的特徴、整数、ステップ、コンポーネントまたはそれらのグループは、特許請求項に記載の組成、デバイスまたは方法の基本的かつ新規な特徴を実質的に変更するものでないと見なすべきである。
【００２４】
本明細書または特許請求の範囲が、「追加的」要素について言及している場合、このことは、２つ以上の追加的要素が存在することを排除するものではない。特許請求の範囲または本明細書が「１つの」または「ある」要素について言及する場合、かかる言及は、この要素が１つしか存在しないものを意味すると見なしてはならない。コンポーネント、特徴、構造または特性を「含み得る」、「含んでもよい」、「含むことができる」と本明細書が述べている場合、これら特定のコンポーネント、特徴、構造または特性が必ず含まれなければならないと理解してはならない。
【００２５】
適用できる場合、実施形態を記述するのに、ステート図、フローチャートまたはそれらの双方を使用できるが、本発明は、これらステート図、フローチャートまたはそれらの双方だけに限定されるものでないし、これら図に対応する説明だけに限定されるものではない。例えばフローは、図示された各々のボックスまたはステートを通過する必要はなく、または図示し、説明したものと全く同じ順序で移動する必要はない。
【００２６】
本発明の方法は、選択されたステップまたは作業をマニュアルで、自動的に、またはそれらの組み合わせで実行または完了することにより、実施できる。「方法」なる用語は、当業者が知っているか、または公知の態様、手段、技術および手順から当業者により容易に開発される態様、手段、技術および手順（これらに限定されない）を含む所定の作業を達成するための態様、手段、技術および手順を意味するものである。特許請求の範囲および明細書に示された記載、例、方法および材料は、発明を限定するものと見なすべきでなく、単に発明を説明するためのものであると見なすべきである。
【００２７】
本明細書で使用する科学技術用語の意味は、特別に定義しない限り、当業者が共通に理解すべきでものである。本発明は、本明細書に記載の方法および材料に均等的または類似する方法および材料と共に、試験時または実施時に実現できる。
【００２８】
本明細書で引用または記載した特許、特許出願および論文を含む任意の刊行物全体は、個々の刊行物を本明細書で援用すべきであると特別に個々に表示したのと同じ程度に、本明細書に援用するものである。更に、本明細書の一部の実施形態の説明における任意の参考物を引用していること、またはそれを識別していることは、かかる引用物が本発明に対する従来技術として利用できることを認めていると見なしてはならない。
【００２９】
図１は、本発明の一部の実施例に従い、元のバナー広告１０’と少なくとも１つの通話アプリケーションとを通し、監督するための方法を略図で示すフローチャートである。
【００３０】
この方法は、
（例えばメインウェブサイトを通して）元のバナー広告の元のコードを検索するステップ２１と、
元のバナー広告１０’の元のコード（例えばコンテントおよびスクリプト）と通話アプリケーションおよびその他のグラフィックおよび作動的機能とを統合するステップ２２と、
通話アプリケーション、元のバナー広告１０’およびその他の機能の組み合わされた作動的機能を可能にする、新しく強化されたバナー広告である新しいＲＭＦを作成するステップ２３（ここでステップ２２および２３は、元のバナー広告１０’を新しく強化されたバナー広告１０であるＲＭＦへの変換を行う）と、
少なくとも１つのネットワークページに、新しく作成されたＲＭＦを埋め込むステップ２４と、
新しく作成された出力ファイル内で新しく追加された通話アプリケーションを実行するステップ２６と並行して、元のバナー広告のコンテントおよびコードを監督し、制御するステップ２５（ここでステップ１０００は、通話適用性が追加された新しいバナー広告として新しいファイルを作動できるようにする）と、
ユーザーが強化されたバナー広告１０内に統合された通話アプリケーションの通話インターフェースを使用して通話を開始するときはいつも、所定の実行設定に従ってユーザーと広告主との間の通話を実行するステップとを含むことができる。
【００３１】
本発明の一部の実施形態によれば、バナー広告コードを検索するステップは、ネットワーク、例えばインターネットを通して元のバナー広告１０’をシステム１０００にアップロードすることを含むことができ、ネットワークのページ５０に新しいＲＭＦの強化されたバナー広告１０を埋め込むステップは、これをネットワークページ５０に埋め込む前に、ネットワークを通してシステム１０００から強化されたバナー広告１０のＲＭＦをダウンロードすることを含むことができる。本発明の一部の実施形態によれば、通話アプリケーションは、例えばインターネット、イントラネット、無線通信ネットワークなどの、当技術分野で知られているネットワークを含むが、これに限定されない任意のタイプの通信ネットワークを通して、当技術分野で知られているようなパソコン（ＰＣ）、ラップトップ、携帯電話などのユーザーターミナルの間の通信を設定するように通話を実行することも可能にし得る。
【００３２】
図２は、本発明の一部の実施形態に係わる元のバナー広告１０’のアプリケーションと通話アプリケーション５とを統合することを可能にする、組み合わされたリッチメディアファイルを作成するためのシステム１０００を略図で示す。
【００３３】
これら実施形態によれば、システム１０００は、広告主２００に関連する任意の通信デバイスおよび／またはコンピュータ化されたデバイスとすることができる少なくとも１つの広告主のターミナル２０１と、少なくとも一人のユーザー２５０に関連する１つ以上の通信デバイスおよび／またはコンピュータ化されたデバイスとすることができる少なくとも１つのユーザーターミナル２５１と、メインバナー広告モジュール１００と、１つ以上のネットワークページ５０とを含むことができる。
【００３４】
実施形態によれば、メインバナー広告モジュール１００は、元のバナー広告１０’と通話アプリケーション５との統合だけでなく、元のバナー広告１０’のコードおよび元のバナー広告の元のコードを、強化されたバナー広告に組み込む方法の監督も可能にする監督コードとの統合も可能にできる。
【００３５】
図２に示された実施形態によれば、メインバナー広告モジュール１００は、元のバナー広告のコードを受信し、このコードと通話アプリケーションコードとを統合し、元のバナー広告の組み合わされた作動上の機能およびコンテント、並びに通話適用性を含む新しいＲＭＦの強化されたバナーを作成できるようにする統合モジュール１１０と、
（例えば通話識別子、例えば広告主２００の電話番号、、ＶｏＩＰ通信のためのＩＰアドレスなどを入力し、通話アプリケーションのグラフィックパラメータおよび通話アプリケーションの機能パラメータおよび／または利用できる通話時間および曜日などの条件を定めることにより）広告主２００およびその他のユーザーが、強化されたバナー広告１０の通話アプリケーション５をカスタム化できるようにするユーザーインターフェースと、
新しく強化されたバナー広告１０とシステム１０００との通信、（例えば通話アプリケーションに関し、広告主２００が行った）定義および記録（例えば実行された通話および実行したネットワークページ５０の情報、元のバナーコンテントによって発信されたウェブリダイレクション、発信者のＩＰアドレスおよび電話番号などを記憶）することを管理する通信モジュール１３０（ここで当技術分野で現在知られているか、将来知られる５００を含む任意のタイプの通信ネットワークを通して通信を開始できる）と、
すべての登録された広告主２００の元のバナー広告１０に関する情報（例えば通話アプリケーションのディスプレイの定義および通話の定義、例えば利用できる通話時間など）、広告主２００のその他の関連する詳細（例えば氏名、支払いの詳細など）、通話毎の支払いに関連する情報（例えば更新された通話料金、各広告主の新しいＲＭＦごとに行われたクリック通話の回数）を記憶し、サーチすることを可能にする少なくとも１つのデータベース１５０とを含むことができる。
【００３６】
本発明の一部の実施形態によれば、図２に示されるように、１つ以上の通信ネットワーク５００を通して、広告主のターミナル２０１とバナー広告のメイン統合モジュール１００との間の通信、ユーザーのターミナル２５１とバナー広告のメインモジュール１００との間の通信、およびバナー広告１０とバナー広告のメインモジュール１００との間の通信を行うことができる。例えば広告主２００は、ターミナル２０１、例えばＰＣ、ラップトップまたはデータの通信および処理を可能にする当技術分野で知られている任意のタイプのターミナルを使って、インターネットネットワーク５００を通してインターネットのウェブサイトに入り、自分のバナー広告１０’を強化されたバナー広告に変換できる。
【００３７】
通話アプリケーション５によって開始される通話を通し、広告主２００とユーザー２５０との通信をするのに使用されるターミナル２０１および２５１は、システム１０００の定義および広告主２００が利用できるターミナルのタイプに応じ、少なくとも１つの異なる通信ネットワーク５０１を使用してメインバナー広告モジュール１００および強化されたバナー広告１０と通信するのに使用されるターミナル２０１および２５１と異なったものでよい。例えば広告主２００は、ユーザー２５０と通信するのに利用できる２つ以上の通信ネットワークおよび／またはターミナル２０１（例えばＶｏＩＰを使用するインターネット、電話を使用する有線通信ネットワークおよび／またはターミナル２０１として携帯電話を使用する無線通信ネットワーク）を定めることができる。
【００３８】
図３Ａは、本発明の一部の実施例に従い、ダイナミックコンテナ１１２を使用して元のバナー広告１０’と通話アプリケーションコードおよび監督コードとを統合できる統合モジュール１１０を略図で示す図である。
【００３９】
これら実施形態によれば、統合モジュール１１０は、元のバナー広告のコード、コンテントおよびネットワークページ（例えばウェブサイト１１１）からダイナミックにロードされたデータを検索し、これらを含むことを可能にする包括的なダイナミックコンテナ１１２および広告主２００が元のバナー広告１０’の提供されたＵＲＬアドレスに基づき、コンテナ１１２がダイナミックに検索できる元のバナー広告１０’のコンテント、定義およびコードを提供することにより、強化されたバナー広告１０を作成できるようにするウェブサイト１１１を活用できる。
【００４０】
ダイナミックな包括的なコンテナ１１２は、ダイナミックプロジェクタ１２（例えばショックウェーブ（ｓｈｏｃｋｗａｖｅ：ＳＷＦ）プロジェクタ）と、通話レイヤー１３（このレイヤーは通話アプリケーションをディスプレイし、作動させることができる）と、監督コード１４とを含むことができる。
【００４１】
ダイナミックプロジェクタ１２は、元のバナー広告１０’のロケーション（ＵＲＬ）およびバナー広告１０’のコードの一部を受信すること、およびネットワークページ５０で強化されたバナー広告１０が公表されたときに、強化されたバナー広告１０に元のバナー広告１０’のコンテントを投射することを可能にできる。
【００４２】
通話レイヤー１３は、ウェブサイト１１１を通して広告主２００からの入力パラメータ、例えば広告主２００の通話の詳細（例えば電話番号）、ＩＰアドレスなど、通話アプリケーション５のインターフェースのグラフィックの特徴およびその他の通話パラメータ（例えば通話条件）を受信することを可能にする通話アプリケーション５を作成するためのコードとすることができる。この通話レイヤー１３は、作成された強化されたバナー広告１０において、通話適用性および／またはパラメータを、通話アプリケーション５へダイナミックに投射することを可能にする。オプションとして、通話レイヤー１３は更に通話アプリケーション５それ自体のコードをロードできるようにしてもよい。
【００４３】
図３Ｂは、図３Ａの実施形態に従い、ダイナミックコンテナ１１２を使用し、元のバナー広告のコードおよびコンテントと通話アプリケーションのコードおよび監督コードとを統合することを可能にする方法を略図で示すフローチャートである。
【００４４】
これら実施形態によれば、この方法は、
メインウェブサイトにログインするステップ３１と、
（例えば、ウェブサイト１１１内のインターフェースを通してパラメータを入力することにより、広告主２００によって実行される）通話ツールのパラメータを定義するステップ３２と、
元のバナー広告１０’のロケーター（例えばＵＲＬ）をアップロードし、元のバナー広告１０’のコンテントおよびコードにアクセスするか、または（例えばウェブサイト１１１へ）元のバナー広告１０’のファイルをアップロードするステップ３３と、
コンテナ１１２を通して新しく強化されたバナー広告を作成するステップ３４と、
（外部のソフトウェアおよびユーザーによって実行できる）少なくとも１つのネットワークページへ新しく強化されたバナー広告１０を埋め込むステップ３５と、
（ステップ３３に応じ）記憶されたロケーションから強化されたバナー広告へ元のバナー広告１０’のコンテントをダイナミックにロードするステップ３６と、
通話アプリケーションおよびその検索されたパラメータを強化されたバナー広告にダイナミックにロードするステップ３７とを含むことができる。
【００４５】
広告主２００は、メインウェブサイト１１１を登録し、これにログインし、元のバナー広告１０’を通話可能に強化されたバナー広告１０への変換を可能にできる。この変換は、広告主２００に関連する個人口座を作成することを可能にでき、ここで、この口座は少なくとも１つのＩＤシーケンス（例えばパスワードおよびユーザーネーム）に関連付けできる。広告主２００が一旦この口座を入力すると、広告主２００は、（１）ウェブロケーションをアップロードまたは提供することにより、元のバナー広告１０’を提供し、（２）ウェブサイト１１１であらかじめ定義された指定インターフェースを通し、通話アプリケーション１４の通話パラメータまたは特徴を定めることができ、ここでシステム１００は、バナー広告１０と統合される通話アプリケーション１４のパラメータ（例えば通話アプリケーションが現れる時間フレーム、カラー、フォント、サイズ、デフォルトなど）のカスタム化を可能にするカスタム化プログラムを実行できる。発生される新しいＲＭＦ強化されたバナー広告１０は、ネットワーク５００を通し、少なくとも１つのネットワークページ５０にて、強化されたバナー広告１０の公表時に元のコンテントをオンザフライでロードできるプロジェクタ１２と共に埋め込みできる。通話レイヤー１３は、広告主２００が定めたパラメータにしたがって、通話アプリケーション１４をドロー（ｄｒａｗ）し、維持できる。通話システム１０００は、元のコンテントまたはそのプロジェクタ１２、通話レイヤー１３またはそのプレイスホルダーのコードの管理を可能にする、強化されたバナー広告１０内の監督コード１４、および（元のコンテントのリダイレクション、通信、イベントハンドリング、ｚ軸などを含む）その他関連する監督コードを更に統合できる。
【００４６】
本発明の一部の実施形態では、強化されたコンテナ１０は、実行時間に通話アプリケーションのコード１４の少なくとも一部をダイナミックにロードし、次にそれを実行し、ネットワークページ５０におけるインプレッション時間におけるコンテナのファイルサイズを削減することもできる。（ＳＷＦファイルにおいて、例えばＵＲＬを利用し、コンパイルされたＳＷＦファイルのリソースをムービークリップオブジェクトまたはスプライトにロードすることにより）元のコンテントをコンテナ１１２にロードするのと同じ方法で通話アプリケーションコード１３のローディングの一部またはすべてを実行できる。
【００４７】
図４は、本発明の一部の方法に従い、元のバナー広告をデコンパイル（ｄｅｃｏｍｐｉｌｉｎｇ）し、元のバナー広告および通話アプリケーションの統合されたコードをリコンパイル（ｒｅｃｏｍｐｉｌｉｎｇ）することにより、元のバナー広告１０’の元のコードを通話アプリケーションコードと統合し、新しいＲＭＦ強化されたバナー１０を作成するプロセスを略図で示すフローチャートである。これら実施形態によれば、このプロセスは、元のコンパイルされたバナー広告１０’のファイル（例えばフラッシュバナーファイル）を検索するステップ５１と、
バナーファイルをデコンパイルするステップ５２と、
デコンパイルされたバナーファイルと（ｉ）通話アプリケーションのコードとを統合すると共に、デコンパイルされたバナーファイルと（ｉｉ）元のコンテントおよび通話コンテント、ディスプレイおよびその他機能上および作動上の特徴を監督できるようにするコードとを統合するステップ５３と、
新しいリッチなメディアファイルを作成するよう、統合されたコードをリコンパイルするステップ５４とを含むことができる。
【００４８】
図５Ａは、本発明の別の実施形態に従い、マスターコンテナ１１２’内のスレーブとして元のバナー広告１０’を統合するための統合モジュール１１０を略図で示す図である。これら実施形態によれば、統合モジュール１１０は、マスターコンテナ１１２’内のスレーブとして、広告主２００の元のバナー広告１０’を埋め込むことを可能にする。このマスターコンテナ１１２’は、プロジェクタ１２’、通話レイヤー１３’およびオプションとしての監督コード１４’を含むことができる。
【００４９】
プロジェクタ１２’は、マスターコンテナ１１２’内から元のバナー広告１０’のコンテントおよびコードを受信し、この元のバナー広告１０’のコンテントを、強化されたバナー広告１０内にディスプレイすることを可能にし得る。
【００５０】
通話レイヤー１３’は、ウェブサイト１１１を通して広告主２００からの入力パラメータ、例えば広告主２００の通話の詳細（例えば電話番号、ＩＰアドレスなど、通話アプリケーション５のインターフェースのグラフィックの特徴およびその他の通話パラメータ（例えば通話条件））を受信することを可能にする、通話アプリケーション５を作成するためのコードとすることができる。
通話レイヤー１３’は、作成された強化されたバナー広告１０内の通話アプリケーション５にパラメータをダイナミックにロードできるようにしてもよい。
【００５１】
監督コード１４’は、元のバナー広告１０’のコンテントの監督を可能にし得る。
【００５２】
更に、コンテナバナー広告１０’が公表されるとき、プロジェクタ１２’はファイルの埋め込まれたリソースとして元のバナー広告１０’をロードでき、通話レイヤー１３’はデータベース１５０内の広告主２００の口座に記憶されているパラメータをロードできる。
【００５３】
一部の実施形態では、マスターコンテナ１１２’は、実行時間に通話アプリケーションのコード１３’の少なくとも一部をダイナミックにロードでき、次にそのコードを実行し、（例えばＵＲＬを利用し、ＳＷＦファイル内でコンパイルされたＳＷＦファイルとして通話アプリケーションをムービークリックオブジェクト（ｍｏｖｉｅ  ｃｌｉｐ  ｏｂｊｅｃｔ）またはスプライト（ｓｐｒｉｔｅ）にロードして）ネットワークページ５０におけるインプレッション時間で、マスターコンテナファイルサイズを削減できる。
【００５４】
図５Ｂは、図５Ａの他の実施形態に従い、マスターコンテナ１１２’を利用し、元のバナー広告１０’のコードおよびコンテントと通話アプリケーションのコードおよび監督コードとの統合を可能にする方法を略図で示すフローチャートである。
【００５５】
これら実施形態によれば、この方法は、
メインウェブサイトにログインするステップ６１と、
（ウェブサイト１１１内のインターフェースを通して、パラメータを入力することにより、広告主２００によりマニュアルで実行される）通話ツールのパラメータを定義するステップ６２と、
元のバナー広告を受信し、これをマスターコンテナ１１２’に埋め込むステップ６３と、
マスターコンテナ１１２’を利用し、新しく強化されたバナー広告を作成するステップ６４と、
（外部アプリケーションおよび／または配信者により埋め込みを実行する場合）少なくとも１つのネットワークページに新しく強化されたバナー広告１０を埋め込むステップ６５と、
（コンテントおよびコード１０’をマスターコンテナ１１２’からローディングすることを含むことができる）元のバナー広告１０’のコンテントをディスプレイするステップ６６と、
通話アプリケーションおよび／またはその検索されたパラメータを強化されたバナー広告にダイナミックにロードするステップ６７とを含むことができる。
【００５６】
図６は、本発明の一部の実施形態に従って、通話アプリケーション５のパラメータおよび機能をカスタム化するためのプロセスを略図で示すフローチャートである。
【００５７】
図６に示されるような本発明の一部の実施形態によれば、通話アプリケーション５をカスタム化するための方法は、
【００５８】
（広告主２００がログインを実行する場合）メインウェブサイト１１１および広告主の個人口座にログインするステップ７１と、
【００５９】
通話パラメータを定めるステップ７２と、
【００６０】
ユーザー（例えばグラフィックデザイナー）が広告主２００の通話アプリケーションのグラフィックデザインおよび機能をカスタム化できるよう、プラグインソフトウェアツールをダウンロードするステップ７３と、
【００６１】
広告主２００が定めたすべての通話アプリケーションパラメータへのアクセスを可能にする個人鍵を自動的に作成するステップ７４と、
【００６２】
プラグインを利用し、更に広告主２００の個人鍵をプラグインに提供し、広告主２００の通話アプリケーション５のプロパティーを定めることにより、広告主の通話アプリケーションをカスタム化するステップ７５と、
【００６３】
新しく強化されたバナー広告を作成するようプロジェクトをコンパイルするステップ７６と、
【００６４】
少なくとも１つのネットワークページに強化されたバナー広告１０を埋め込むステップ７７と、
【００６５】
広告主の個人鍵に対応する（もともと広告主２００によって定められた）通話アプリケーションのパラメータをロードするステップ７８とを含むことができる。
【００６６】
図７は、メインバナー広告モジュール１１０’を略図で示す図であり、このメインバナー広告モジュール１１０’は、本発明の一部の実施形態に従い、（広告主２００のバナー広告を維持できる第三当事者のエンティティでよい、メインウェブサイト１１１、例えばインタラクティブなエージェンシー２１０、広告ネットワーク２２０などを使用し）広告主２００のような多数のソースから元の多数のバナー広告１０’を受信し、これらと通話アプリケーション５とを統合し、元のバナー広告１０’を提供したエンティティへ、統合の結果得られた強化されたバナー広告１０を戻すか、またはシステム１０００によって強化されるように、この強化されたバナー広告を送ることを可能にする。
【００６７】
これによって、
（第三当事者のエンティティ、例えば２１０および／または２２０を使って）広告主２００から、または広告主のために、現在存在する元のバナー広告１０’を受信するステップと、
（メインバナー広告モジュール１１０’を使って）元の各バナー広告１０’と通話アプリケーション５のコードおよび監督コードを統合するステップと、
変換され、強化された各バナー広告１０を広告主および／または第三当事者のエンティティ、例えば２１０および／または２２０へ戻し、広告主および／または第三当事者のエンティティが統合プロセスに関与しない他の外部ウェブサイト（ネットワークページ５０）で、強化されたバナー広告１０を公表することを可能にするステップと、
バナー広告を通して、クリックと並行にすることができる強化されたバナー広告１０を通して、コールを発生するステップと、
（オプションとして）コールの発生と並行してミニサイト（例えばミニサイト８０または他のウェブサイト）にリダイレクトするステップとを可能にするビジネス方法を可能にできる。
【００６８】
強化されたバナー広告をコンパイルする前後のいずれか、またはプラグインを使用し、このプラグインを使用するときにカスタム化されたパラメータへのアクセスを可能にする個人鍵を使用する前（例えばウェブサイト１１１内）およびその後のいずれかでアプリケーションのパラメータを変更し、カスタム化できる。
【００６９】
このプロセスは、更に登録プロセスも含むことができ、この登録プロセスでは、リダイレクションの宛て先電話番号、電話番号の各々のための時間フレーム、支払い手段などを含む、通話の実行および制御プロセスを容易にするよう、メインバナーモジュール１１０’に関連するデータベースにセーブすべき詳細を広告主２００が提供する。このビジネスプロセスの結果、元のバナー広告１０’に類似するが、通話機能５が追加された、すぐに公表できる状態の強化されたバナー広告１０が得られる。この新しく強化されたバナー広告１０は、ユーザーが一旦通話機能オプションを選択すると、消費者の通信ターミナルまたはデバイスに無料通話を提供できる。新しく強化されたバナー広告１０は、電話番号フィールドおよび広告主からの無料コールバックを提供する「通話」ボタンと共に、通話アプリケーション５のインターフェース表示（例えばバナー広告内の通話バブル）をディスプレイできる。
【００７０】
以上で、限られた数の実施形態に関して本発明について説明したが、これら実施形態は、発明の範囲を限定するものではなく、好ましい実施形態の一部の例であると見なすべきである。当業者であれば、本発明の範囲内に入る他の可能な変形例、変更例および応用例を想到できよう。従って、本発明の範囲は、これまでの記載のみによって限定すべきではなく、特許請求の範囲およびその法的な均等物によってのみ限定すべきである。
【図１】
2011512571.tif 000003
【図２】
2011512571.tif 000004
【図３Ａ】
2011512571.tif 000005
【図３Ｂ】
2011512571.tif 000006
【図４】
2011512571.tif 000007
【図５Ａ】
2011512571.tif 000008
【図５Ｂ】
2011512571.tif 000009
【図６】
2011512571.tif 000010
【図７】
2011512571.tif 000011
【国際調査報告】
2011512571.tif 000012